(57)【要約】【課題】  より多量のマイナスイオンを発生させることができるマイナスイオン発生エアゾールを提供する。【解決手段】  原液と噴射剤との配合割合が１０：９０〜４０：６０容量％であることを特徴とするマイナスイオン発生エアゾール。【選択図】  なし【特許請求の範囲】
【請求項１】
原液と噴射剤との配合割合が１０：９０〜４０：６０容量％であることを特徴とするマイナスイオン発生エアゾール。
【請求項２】
前記原液と噴射剤との配合割合が１５：８５〜３５：６５容量％であることを特徴とする請求項１記載のマイナスイオン発生エアゾール。
【請求項３】
前記原液が、アルコール、脱イオン水、またはこれらの混合物であることを特徴とする請求項１または２に記載のマイナスイオン発生エアゾール。
【発明の詳細な説明】
【技術分野】
【０００１】
本発明は、大気中等にマイナスイオンを発生させるマイナスイオン発生エアゾールに関する。より詳しくは、より多量にマイナスイオンを発生させ得るマイナスイオン発生エアゾールに関する。
【背景技術】
【０００２】
近年、マイナスイオンの人体に与えるいろいろな好ましい影響、効果が注目されるようになり、人工的に大気中にマイナスイオンを発生させるマイナスイオン発生器や、マイナスイオン発生機能を有する空気清浄機等が提案ないし市販されている。しかし、これらの機器は、一般に、マイナスイオン発生機構が、電極に高電圧をかけて放電させ、この放電によって空気をマイナスイオン化する電極式の機構であって、外部からの電力供給が必要であり、また高電圧のかかる部品を内蔵しているので、装置が複雑で大掛かりにならざるを得ない。
【０００３】
また、簡便に人工的に大気中にマイナスイオンを発生させ得る手段として、噴霧器から大気中に液体を噴霧したときにマイナスイオンが発生する、所謂「レナード効果」を利用したエアゾールが知られている。しかし、マイナスイオンの発生量は一般に少なく、従来から、原液としてエタノールと、檜の精油またはヒバの精油との混合液を用いたマイナスイオン発生エアゾールが提案されている（特許文献１参照）。また、噴霧する原液を、噴霧器の噴霧口から大気中に噴霧する前に、予めトルマリン鉱石、木炭、麦飯石、蛇紋石、あるいはラジウム含有石と接触させるようにした噴霧器が提案されている（特許文献２参照）。しかし、これらの従来提案されているマイナスイオン発生エアゾールないし噴霧器は、未だマイナスイオン発生量が十分とはいえない。
【０００４】
【特許文献１】特開２００２−２７４５８０号公報
【特許文献２】特開２００３−１９２０６４号公報
【発明の開示】
【発明が解決しようとする課題】
【０００５】
本発明の目的は、上記従来の状況に鑑み、簡便に大気中にマイナスイオンを発生させ得るマイナスイオン発生エアゾールにおいて、より多量のマイナスイオンを発生させることにある。
【課題を解決するための手段】
【０００６】
本発明者らは、上記目的を達成すべく鋭意研究した結果、原液と噴射剤の配合割合をある一定範囲内の割合とすることによって、マイナスイオンの発生量を大幅に増加させることができることを見出し、本発明を完成するに至った。
【０００７】
即ち、本発明は、上記目的を達成するために、次のマイナスイオン発生エアゾールを提供する。
（１）原液と噴射剤との配合割合が１０：９０〜４０：６０容量％であることを特徴とするマイナスイオン発生エアゾール。
（２）前記原液と噴射剤との配合割合が１５：８５〜３５：６５容量％であることを特徴とする上記（１）記載のマイナスイオン発生エアゾール。
（３）前記原液が、アルコール、脱イオン水、またはこれらの混合物であることを特徴とする上記（１）または（２）に記載のマイナスイオン発生エアゾール。
【発明の効果】
【０００８】
本発明によれば、原液と噴射剤との配合割合を一定の割合に調整するという簡便な手段により、従来のマイナスイオン発生エアゾールないし噴霧器よりも多量のマイナスイオンを発生させることができる。
【発明を実施するための最良の形態】
【０００９】
本発明においては、原液と噴射剤との配合割合を、原液が１０〜４０容量％、好ましくは１５〜３５容量％であり、噴射剤が６０〜９０容量％、好ましくは６５〜８５容量％であるようにする。原液が１０容量％未満で噴射剤が９０容量％を超える場合、及び原液が４０容量％を超えて噴射剤が６０容量％未満の場合は、何れも所期のマイナスイオンの発生量の増加が望めず、発明の目的が達せられない。
【００１０】
本発明において、原液としては、アルコールや、水（脱イオン水）を単独で、あるいはこれらを混合した混合物等を用いることができる。アルコールとしては、エタノールやイソプロピルアルコール、あるいはエタノールとイソプロピルアルコールとの混合物等を使用できる。また、必要に応じて、例えば、従来のマイナスイオン発生エアゾールにおいて、マイナスイオンの発生量を多くするために添加される成分を適量添加しても差し支えない。また、本発明の効果を妨げない限り、例えば、消臭剤や香料等の添加剤を適量添加することもできる。
【００１１】
また、噴射剤としては、従来からエアゾールに用いられているジメチルエーテル（ＤＭＥ）や、液化ガス（ＬＰＧ）等が用いられる。
【００１２】
上記の原液及び噴射剤を充填し、噴射するエアゾール缶としては、公知のエアゾール缶を用いることができる。その一例を図１に断面図にて示すが、エアゾール缶Ａの容器本体１中に原液と噴射剤とからなるエアゾール２が封入されており、容器本体１には、エアゾール２を噴射するための噴射機構３が具備されており、噴射機構３は、噴射口３ａを有する噴射釦３ｂを備えている。更に、噴射機構３には、容器本体１の底部まで延びたエアゾール導管４が取り付けられている。そして、噴射釦３ｂを下に押すことによって、噴射機構３が作動してバルブが開いて、噴射口３ａからエアゾール２が噴射され、それによりマイナスイオンが発生する。
【００１３】
また、上記のエアゾール缶Ａに代えて、噴射口を複数とすることにより、１回あたりの噴射量を増やし、それに伴いマイナスイオンの発生量を増加させることができるようになる。但し、その際、噴射されたエアゾールの噴霧が噴射口の近い位置で重なり合わないように、噴射口の位置を調整する必要がある。具体的には、図２（ａ）に示すように、二つの噴射口３ａ’と３ａ’’とを上下方向（垂直方向）にある角度Ｑをもって配置し、噴射されたエアゾール５，５’が相互に重なり合わないようにする。また、図２（ｂ）に示すように、二つの噴射口３ａ’と３ａ’’とを左右方向（水平方向）にある角度Ｑをもって配置し、エアゾール５，５’が相互に重なり合わないようにする。このようにエアゾールが噴射口の近い位置で重ならないように噴射することにより、後述する実施例で示されるように、マイナスイオンの発生を最も効果的に行うことができるようになる。尚、角度Ｑには制限がなく、極端には二つの噴射口３ａ’と３ａ’’とが反対方向を向いてもよいが（角度Ｑが１８０°）、５〜２０°が適当である。これに対し、図２（ｃ）に示すように、二つの噴射口３ａ’と３ａ’’とを平行に配置すると、噴射されたエアゾール５，５’が噴射口の近い位置で相互に重なり合い、マイナスイオンの発生量の増加は少なくなる。
【００１４】
また、エアゾールの噴射機構として、ペダル方式にすることも可能である。これは、例えば特開２００２−１４３７３３号公報に記載されているように、容器に装着したペダルを踏むことによりエアゾールが噴射されるものであり、同様に、複数の噴射口を、噴射されたエアゾールの噴霧が噴射口の近い位置で重なり合わないように配置する。
【実施例】
【００１５】
以下に試験例を挙げて本発明をより具体的に説明するが、本発明はこれにより何ら限定されるものではない。
【００１６】
（試験−１；原液と噴射剤との配合比率の検討実験）
原液としてエタノールを用い、噴射剤としてジメチルエーテルを用いて、それらの配合割合を変えたエアゾールを調製し、それらをそれぞれ図１に示す構造のエアゾール缶（噴射機構のバルブ：押釦の噴射口＝φ０．９ｍｍ１個、ステム径φ０．５ｍｍ、アンダータップ径φ２．２ｍｍ、樹脂製）に封入してエアゾールの噴射実験を行ない、その際噴射により生じたマイナスイオンの発生量を測定した。測定方法は、図３に示すとおりであり、イオン測定装置６のセンサー６’から３０ｃｍ離れた位置にエアゾール缶Ａを配置し、エアゾールを噴霧最先端がセンサー６’から１０ｃｍ離れた位置となるように噴射し、センサ６’によりマイナスイオンの発生量を測定した。イオン測定装置６としてキョーリツエレクトロニクス（株）製「ＩＯＮ−ＣＯＵＮＴＥＲ」を用い、エアゾールの噴射時間は１秒で一定とした。
【００１７】
結果を図４に示すが、エアゾール中の原液（エタノール）の配合割合が１０〜４０容量％のときに、他の配合割合に比べてマイナスイオンの発生量が格段に多いことがわかる。
【００１８】
（試験−２；原液の種類の検討）
原液として脱イオン水、灯油及びエタノールを用い、各原液を２０容量％、ジメチルエーテルを８０質量％としてエアゾールを調製し、同様にしてマイナスイオンの発生量を測定した。結果を下記表１に示すが、原液として脱イオン水を用いたときが最も多くマイナスイオンが発生した。
【００１９】
【表１】
2005298693.tif 000002
【００２０】
（試験−３；噴射方法（噴射口の数）の検討）
原液のエタノール２０容量％、ジメチルエーテル８０容量％からなるエアゾールを、試験−１で用いた噴射口１個のエアゾール缶Ａ、図２（ａ）に示すようにφ０．３７ｍｍの２つの噴射口が上下方向に１０°の角度で配置されたエアゾール缶Ｂ、及び図２（ｃ）に示すようにφ０．３７ｍｍの２つの噴射口が平行に配置されたエアゾール缶Ｃにそれぞれ充填し、同様の噴射実験を行った。結果を下記表２に示すが、噴射口が一つのエアゾール缶Ａに比べると、噴射口が２つのエアゾール缶Ｂ、Ｃの方がマイナスイオンの発生量が多くなっており、更に２つの噴射口が平行に配置されたエアゾール缶Ｃに比べても、２つの噴射口が上下方向に１０°の角度で配置されたエアゾール缶Ｂが格段に多くのマイナスイオンを発生することがわかる。
【００２１】
【表２】
2005298693.tif 000003
【図面の簡単な説明】
【００２２】
【図１】本発明のマイナスイオン発生エアゾールに用いるエアゾール缶の一例の概略断面図である。
【図２】二つの噴射口を備えたエアゾール缶の例を示す噴射釦の拡大図である。
【図３】マイナスイオン発生量の測定方法の概略を示す図である。
【図４】試験−１の結果を示すグラフである。
【符号の説明】
【００２３】
１      容器本体
２      エアゾール
３      噴射機構
３ａ    噴射口
３ａ’  噴射口
３ａ’’噴射口
３ｂ    噴射釦
４      エアゾール導管
５      噴射されたエアゾール
５’    噴射されたエアゾール
６      イオン測定装置
６’    センサー
Ａ      エアゾール缶
【図１】
2005298693.tif 000004
【図２】
2005298693.tif 000005
【図３】
2005298693.tif 000006
【図４】
2005298693.tif 000007